(57)【要約】【課題】従来の照準装置の、覗きにくくなっている点、覗いたときの視野が狭く、使用しにくいものとなっている点を改善すること。【解決手段】照準装置の接眼透光部を直径５ｍｍ前後とし、対物透光部として直径５ｍｍ以上の丸穴を設けた。接眼透光部の丸穴には、周辺から中心に向かう突起あるいは、中心から放射状に外側に向かう切欠きを設け、対物透光部の丸穴の中央部には、リング状の枠を配置した。【選択図】図５
2010151747.tif 000002
【特許請求の範囲】
【請求項１】
赤外線センサーの投光部または受光部に設けられて両者間の光軸を確認するための照準装置であって、直径５ｍｍ以上の接眼透光部と、直径５ｍｍ以上の対物透光部とを備え、前記接眼透光部には、周辺から中心に向かう突起、あるいは中心から放射状に外側に向かう切欠きを設け、前記対物透光部には、リング状の枠を中央部に配置したものであることを特徴とする赤外線センサーの照準装置。
【発明の詳細な説明】
【技術分野】
【０００１】
本発明は、投光器と受光器とで構成される赤外線センサーに関するものであり、特に投光器及び受光器の光軸を確認するための照準装置の構造に関するものである。
【背景技術】
【０００２】
従来の侵入者を検出する目的で使用されるこの種の赤外線センサーとしては、投光手段を有する投光器と、受光手段を有する受光器とを警戒区間を隔てて対向して設置する形態のものがある。警戒区間を通過する人間（侵入者）は、投光器から発せられている赤外線を遮断することになり、受光器側でこの状態を検出して侵入者検知信号を出力するものである。
【０００３】
投光器と受光器との警戒区間の距離が、数百ｍとなる赤外線センサーも存在する。警戒区間が長くなる程、適正な検知感度を確保するための光軸調整は難しくなる。従来の赤外線センサーでは、検知光軸の確認を容易にする図１に示すような照準装置が、受光器および投光器に設けられている。
【０００４】
従来の照準装置Ｇは接眼透光部１１、対物透光部１２、平面鏡１３とで構成され、対象物Ｒ（対向して設置される投光器または受光器）が、照準装置を通して中心部に位置する方向に角度調整すると、光軸が一致するようにしてある。
投光器と受光器に照準装置を設備し、双方で照準装置を用いた調整をおこない、投光器と受光器の光軸を一致させている。
【０００５】
従来の照準装置では、接眼透光部１１および対物透光部１２を丸穴とし、丸穴の周辺から中心に向かう突起を設けたり、中心から放射状に切欠きを設けたりして、透光部の中心が明確になるようにしていた。（例えば、特許文献１参照。）
【特許文献１】実公昭５５−１２１６７
【発明の開示】
【発明が解決しようとする課題】
【０００６】
従来の照準装置では、接眼透光部１１と対物透光部１２を構成する丸穴が小さいため、照準装置として覗きにくくなっており、覗いたときの視野が狭く、使用しにくいものとなっている。
接眼透光部１１および対物透光部１２の丸穴の穴径を大きくすると、視野が広がり、対向して設置した投光器または受光器が視認しやすくなるが、接眼透光部と対物透光部の中心を合わせることが難しくなる。
【課題を解決するための手段】
【０００７】
上記課題を解決するため、本発明では照準装置の接眼透光部を直径５ｍｍ前後とし、対物透光部として直径５ｍｍ以上の丸穴を設けた。接眼透光部の丸穴には、周辺から中心に向かう突起あるいは、中心から放射状に外側に向かう切欠きを設け、対物透光部の丸穴の中央部には、リング状の枠を配置した。
【発明の効果】
【０００８】
接眼透光部と対物透光部の両方を大きくしたので、覗きやすくなり、視野も広くなる。対物透光部の中央にリング状の枠を設けたので、接眼透光部から目を離して視野を絞ったときの照準中心部がわかりやすくなり、接眼透光部と対物透光部の中心を正確に合わすことができる。その結果、対象物を見つけやすくなり、粗調整が効率よく行える。そこから目を遠ざけることにより、接眼透光部と対物透光部の内側に設けたリング状の枠が重なり、より精度の高い光軸調整が可能となる。
【発明を実施するための最良の形態】
【０００９】
従来の照準装置は、小型の投光器・受光器内に装備させるため、接眼透光部と対物透光部の間に平面鏡を配置している。本発明の照準装置は、このような構成のものにも適用可能であるが、本発明の特長をわかりやすくするため、平面鏡を用いない形態をもとに説明する。
【００１０】
図２は、従来の照準装置の構成を示した図である。１１ａは接眼透光部１１を側面から見たものであり、１１ｂは接眼透光部１１を正面から見たものである。１２ａは対物透光部１２を側面から見たものであり、１２ｂは対物透光部１２を正面から見たものである。
接眼透光部１１と対物透光部１２は、距離Ｌを隔てて配置され、それぞれの中心を結ぶ直線の方向がこの照準装置を搭載する投光器または受光器の光軸に平行となるようになっている。
【００１１】
距離Ｌは６０ｍｍ前後、接眼透光部１１と対物透光部１２の丸穴の直径は３ｍｍ前後である。Ｅは瞳であり、この位置から照準を覗き、接眼透光部１１と対物透光部１２の丸穴の中心を一致させ、その中心に対象物が来るように方向を調整する。
１４は対象物が照準装置の中に見えている状態を示している。
この照準装置では、接眼透光部１１、対物透光部１２ともに小さいため覗きにくい。また、視野も狭くなっている。
【００１２】
図３は、従来の照準装置の接眼透光部１１だけを大きくした照準装置の構成を示した図である。この照準装置では、覗きやすくなってはいるが視野は狭いため、対象物を見つけにくく、また接眼透光部と対物透光部の中心も合わせにくい。
図４は、従来の照準装置の接眼透光部１１と、対物透光部１２の両方を大きくし、丸穴とした照準装置の構成を示した図である。この照準装置では、覗きやすくなり、視野も広くなって対象物を見つけやすくなっているが、接眼透光部と対物透光部の中心を合わせにくくなっている。
図３と図４の１５は、瞳Ｅを接眼透光部の周辺部へ移動したときの対象物の照準装置内での見え方を示している。接眼透光部の中心と対物透光部の中心があっていることの確認がしにくいので、照準装置内に対象物が見えていてもその方向が正確に光軸方向と一致しているとは限らない。
【００１３】
図５は、本発明の照準装置の構成を示した図である。接眼透光部１１と対物透光部１２の両方を大きくし、接眼透光部１１の周囲に４つの突起を設け、対物透光部の中央部にリング状の枠１６を設けた。
接眼透光部が大きいので、覗きやすくなり、対物透光部も大きいので視野も広いため、対象物を見つけやすく、光軸の粗調整が効率よく行える。また、瞳を接眼透光部から遠ざけると、対物透光部の中央にリング状の枠が、接眼透光部と重なり、視野を絞れるので、対象物を中心に合わせやすくなっている。
図６は、本発明の照準装置の接眼透光部から瞳Ｅを少し離した状態を示した図である。接眼透光部から瞳Ｅを少しずつ離していき、接眼透光部の中心に対物透光部のリング状の枠１６が中央に来るようにし、その中に対象物が見えるように調整すると、その方向が光軸と一致していることになる。
【００１４】
接眼透光部の直径は、瞳孔より大きく設定し、覗きやすくした。直径５ｍｍ以上であると従来のもの（直径３ｍｍ前後）よりも大幅に覗きやすくなることが確認できた。視野を広くとるために、対物透光部の直径も直径６ｍｍ程度とした。
接眼透光部１１と対物透光部１２との距離Ｌが６０ｍｍとすると、接眼透光部の中心からみた視野角は、５°以上となり、見やすくなった。
瞳Ｅを照準装置の接眼透光部に近づけて対象物を照準内に来るよう粗調整し、瞳Ｅを接眼透光部から離していくと、接眼透光部によって視野が狭められ、視野の中に存在していた対物透光部のリング状の枠１６が視野の外郭に近づくことになる。この状態は、光軸中心に正確に向いている状態となるので、正確な光軸調整が可能となる。
【００１５】
本発明の実施例では、対物透光部１２の中心のリング状の枠１６を４つの支持棒１７で支えるものであるが、リング状の枠は透明ガラス等に印刷したものでもよい。
また、接眼透光部１１に４つの突起部を設けたが、中心から放射状に外側に向かう切欠きを設けてもよい。
【図面の簡単な説明】
【００１６】
【図１】従来の照準装置の外観及び構成を示した図である。
【図２】従来の照準装置の構成を示した図である。
【図３】従来の照準装置の接眼透光部１１だけを大きくした照準装置の構成を示した図である。
【図４】従来の照準装置の接眼透光部１１と、対物透光部１２の両方を大きくし、丸穴とした照準装置の構成を示した図である。
【図５】本発明の照準装置の構成を示した図である。
【図６】本発明の照準装置の構成において、瞳Ｅを接眼透光部から少し離した状態を示した図である。
【符号の説明】
【００１７】
１１・・・接眼透光部
１２・・・対物透光部
１３・・・平面鏡
１４・・・対象物が照準装置の中に見えている状態
１５・・・瞳Ｅを接眼透光部の周辺部へ移動したときの対象物の照準装置内での見え方
１６・・・リング状の枠
１７・・・支持棒
Ｅ・・・瞳
Ｇ・・・照準装置
【図１】
2010151747.tif 000003
【図２】
2010151747.tif 000004
【図３】
2010151747.tif 000005
【図４】
2010151747.tif 000006
【図５】
2010151747.tif 000007
【図６】
2010151747.tif 000008